(57)【要約】【課題】  生ゴミ・食物残渣・畜糞などの有機廃棄物を攪拌して、発酵，分解する廃棄物処理装置の提供。【解決手段】  有機廃棄物を堆積する堆積槽１と、該堆積槽１内を前後左右に移動して有機廃棄物を攪拌する二軸一組のスクリュー攪拌機８とを備え、該二軸一組のスクリュー攪拌機８は、いずれも、長尺な軸部８ａと該軸部８ａに沿って螺旋状に設けられる羽根部８ｂとからなり、各軸部８ａは、羽根部８ｂと共に傾斜角度をもって互いに反転するように支持されて、その各段の羽根部８ｂ間と先端８ｃに消臭液を噴射する噴射口９を形成し、上記各羽根部８ｂは、攪拌において有機廃棄物の天地返しを繰り返すと同時に該有機廃棄物をスクリュー攪拌機８の進行方向とは逆方向に移動させるように構成することにより、有機廃棄物の堆肥化を可能となす。【選択図】  図１
0003166590.tif 000002
【実用新案登録請求の範囲】
【請求項１】
生ゴミ・食物残渣・畜糞などの有機廃棄物を攪拌して、発酵，分解する廃棄物処理装置において、上記有機廃棄物を堆積する堆積槽と、該堆積槽内を前後左右に移動して有機廃棄物を攪拌する二軸一組のスクリュー攪拌機とを備え、該二軸一組のスクリュー攪拌機は、いずれも、長尺な軸部と該軸部に沿って螺旋状に設けられる羽根部とからなり、各軸部は、羽根部と共に傾斜角度をもって互いに反転するように支持されて、その各段の羽根部間と先端に消臭液を噴射する噴射口を形成し、上記各羽根部は、攪拌において有機廃棄物の天地返しを繰り返すと同時に該有機廃棄物をスクリュー攪拌機の進行方向とは逆方向に移動させるとことを特徴とする廃棄物処理装置。
【請求項２】
上記スクリュー攪拌機の軸部の傾斜角度は２０〜３０度であることを特徴とする請求項１記載の廃棄物処理装置。
【請求項３】
上記スクリュー攪拌機の羽根部に切断用刃を交換可能に取り付けたことを特徴とする請求項１乃至請求項２のいずれかに記載の廃棄物処理装置。
【考案の詳細な説明】
【技術分野】
【０００１】
本考案は、生ゴミ・食物残渣・畜糞などの有機廃棄物を攪拌して、発酵，分解する廃棄物処理装置に関するものである。
【背景技術】
【０００２】
従来において、生ゴミ・食物残渣・畜糞などの有機廃棄物を堆肥化する場合には、一般に、その堆積領域内にただ単に堆積して発酵，分解を施して堆肥化しているが、このままでは、有機廃棄物の内部に十分な空気が供給されないので、好気性の微生物が死滅して、臭気が発生するばかりか、発酵，分解が活発に促進されなかった。
【考案の概要】
【考案が解決しようとする課題】
【０００３】
そこで、通常は、この微生物の成長に空気と水分と温度が必要なことから、堆積されている有機廃棄物を天地返し（上下が逆となる）に積み直して空気を供給し、又、堆積されている有機廃棄物に水をかけて水分を供給しているので、いずれにしても、従来にあっては、堆肥化する上で、多大な労力と時間が強いられていた。尚、温度に関しては、発酵熱を利用していた。
【課題を解決するための手段】
【０００４】
本考案は、斯かる実情に鑑み開発されたもので、請求項１記載の考案は、生ゴミ・食物残渣・畜糞などの有機廃棄物を攪拌して、発酵，分解する廃棄物処理装置において、上記有機廃棄物を堆積する堆積槽と、該堆積槽内を前後左右に移動して有機廃棄物を攪拌する二軸一組のスクリュー攪拌機とを備え、該二軸一組のスクリュー攪拌機は、いずれも、長尺な軸部と該軸部に沿って螺旋状に設けられる羽根部とからなり、各軸部は、羽根部と共に傾斜角度をもって互いに反転するように支持されて、その各段の羽根部間と先端に消臭液を噴射する噴射口を形成し、上記各羽根部は、攪拌において有機廃棄物の天地返しを繰り返すと同時に該有機廃棄物をスクリュー攪拌機の進行方向とは逆方向に移動させるとことを特徴とする。
【０００５】
請求項２記載の考案は、請求項１を前提として、上記スクリュー攪拌機の軸部の傾斜角度は２０〜３０度であることを特徴とする。
【０００６】
請求項３記載の考案は、請求項１乃至請求項２を前提として、上記スクリュー攪拌機の羽根部に切断用刃を交換可能に取り付けたことを特徴とする。
【考案の効果】
【０００７】
依って、請求項１記載の考案にあっては、堆積槽内に堆積された有機廃棄物を攪拌する手段に二軸一組のスクリュー攪拌機を使用する関係で、天地返しを繰り返しながら有機廃棄物を効率良く攪拌できるので、有機廃棄物に十分な空気を供給して、微生物による有機廃棄物の発酵，分解が促進される。
【０００８】
又、このスクリュー攪拌機が堆積槽内で前後左右に移動するので、この移動機構手段に水分を含んだ消臭液などを散布するホースや管などを取り付けておけば、堆積槽全体に対する消臭効果が一様に向上する。その上、スクリュー攪拌機の軸部には、その先端を含めて消臭液の噴射口が上下方向に形成されているので、攪拌部分での消臭効果も大いに向上する。
【０００９】
更に、スクリュー攪拌機の羽根部は、攪拌において有機廃棄物の天地返しを繰り返すと同時に有機廃棄物をスクリュー攪拌機の進行方向とは逆方向に移動させることができるので、この機構を利用すれば、堆積槽から堆肥化された有機廃棄物を堆積槽の搬出口に移動させて、該搬出口から容易に取り出せる。
【００１０】
請求項２記載の考案にあっては、スクリュー攪拌機の軸部が２０〜３０度の傾斜角度に取り付けられているので、理想的な攪拌と移動が期待できる。即ち、スクリュー攪拌機の軸部をあんまり寝かせ過ぎると、攪拌しずらくなり、逆に、立て過ぎると、今度は、有機廃棄物を移動しずらくなるので、２０〜３０度の範囲であれば、このような心配は全くない。
【００１１】
請求項３記載の考案にあっては、スクリュー攪拌機の羽根部に切断用刃が交換可能に取り付けられているので、特に、有機廃棄物中の繊維質を細かく破砕して臭気の発生を抑えながら発酵，分解を促進できる。しかも、この切断用刃は交換性があるので、摩耗した切断用刃のみを交換でき経済的である。
【図面の簡単な説明】
【００１２】
【図１】本考案の実施例に係る廃棄物処理装置を示す正面図である。
【図２】同廃棄物処理装置を示す平面図である。
【図３】スクリュー攪拌機の傾斜状態を示す要部側面図である。
【図４】切断用刃と噴射口を示す要部拡大斜視図である。
【図５】（Ａ）はスクリュー攪拌機の駆動機構を示す説明図、（Ｂ）は同じく駆動機構を示す説明図である。
【図６】同廃棄物処理装置を備えた家屋・畜舎を示す斜視図である。
【考案を実施するための形態】
【００１３】
本考案は、生ゴミ・食物残渣・畜糞などの有機廃棄物を攪拌して、発酵，分解する廃棄物処理装置を前提として、上記有機廃棄物を堆積する堆積槽と、該堆積槽内を前後左右に移動して有機廃棄物を攪拌する二軸一組のスクリュー攪拌機とを備え、該二軸一組のスクリュー攪拌機は、いずれも、長尺な軸部と該軸部に沿って螺旋状に設けられる羽根部とからなり、各軸部は、羽根部と共に傾斜角度をもって互いに反転するように支持されて、その各段の羽根部間と先端に消臭液を噴射する噴射口を形成し、上記各羽根部は、攪拌において有機廃棄物の天地返しを繰り返すと同時に該有機廃棄物をスクリュー攪拌機の進行方向とは逆方向に移動させることにより、有機廃棄物の堆肥化を効率良く行なわんとするものである。
【実施例】
【００１４】
以下、本考案を図示する好適な実施例に基づいて詳述すれば、該実施例に係る廃棄物処理装置も、生ゴミ・食物残渣・畜糞などの有機廃棄物を攪拌して、発酵，分解することにより堆肥化を図るもので、図１乃至図３に示す如く、密閉された家屋や畜舎Ｈの内側に、底部に複数のブロワー２と空気の吹出口３を有する堆積槽１を形成して、該堆積槽１に搬入口４と搬出口５を開設する一方、該堆積槽１の長手方向の両側壁部上面を前後方向に移動する基台６を設けると共に、該基台６上を左右方向に移動する台車７を設け、該台車７に上記堆積槽１内で前後左右に移動する二軸一組のスクリュー攪拌機８を一定の傾斜角度をもって支持する構成となっている。尚、有機廃棄物を堆積する堆積槽１内には、副資材として、おが屑・もみ殻・草などを混入するものとする。
【００１５】
そして、本実施例における二軸一組のスクリュー攪拌機８は、図４にも示す如く、いずれも、互いに逆方向に後述する歯車１２・１３・１４・１５を介して反転する長尺な軸部８ａと、該軸部８ａに沿って螺旋状に設けられた羽根部８ｂからなり、前者の軸部８ａは、羽根部８ｂと共に傾斜角度もって上記台車７に吊下支持されると共に、その各段の羽根部８ｂ間と先端８ｃに消臭液や消臭気を噴射する噴射口９を設け、後者の羽根部８ｂは、上記堆積槽１の内部に堆積された有機廃棄物を副資材ともに攪拌すると同時に有機廃棄物をスクリュー攪拌機８の進行方向とは逆方向、即ち、進行に伴い堆積槽１の搬出口５方向へ順次移動させるものである。
【００１６】
尚、この場合に、羽根部８ｂと共に軸部８ａを上記台車７に傾斜状態をもって支持する場合、傾斜角度θに関しては、その垂直線に対して、これをあまり寝かせ過ぎると、有機廃棄物の攪拌がしずらくなり、逆に、あまり立て過ぎると、今度は、有機廃棄物を後方に移動させずらくなるので、本実施例にあっては、２０〜３０度の範囲を取り入れた。尚、この中でも、２５度が最適である。
【００１７】
又、上記スクリュー攪拌機８の下では、図４に示す如く、羽根部８ｂの各段の外周縁に切断用刃１０を交換可能にネジ止めする関係で、特に、生ゴミや食物残渣中の繊維質なものや、おが屑・もみ殻・草などを容易に細かく破砕できるので、発酵臭が少なくなると共に、攪拌，分解が促進される。その上、この切断用刃１０は、交換式となっているので、例え、切断用刃１０の先端縁が摩耗，損傷しても、スクリュー攪拌機８全体を交換する必要がないので、極めて経済的である。
【００１８】
更に、この二軸一組のスクリュー攪拌機８は、図５に示す如く、１個の駆動用モータ１１からの駆動力を得て、伝達歯車１２・１３・１４・１５を介して互いに反転するように構成されて、基台６に沿って左右動する台車７に支持されており、又、上下用油圧シリンダー１６によって、その傾斜角度θを２５度などに調整できる構成となっている。
【００１９】
これに加えて、上記基台６に対しては、消臭液を噴射するパイプ１７を設置して、スクリュー攪拌機８の前後移動と連動して、有機廃棄物上に消臭液を噴霧できる一方、堆積槽１の底部に設けられる吹出口３からブロワー２を介して空気が噴き出されて、発酵，分解の促進を図る構成を併せて採用している。
【００２０】
依って、上記構成の廃棄物処理装置の下で、生ゴミ・食物残渣・畜糞などの有機廃棄物を発酵させて堆肥化する場合には、上記有機廃棄物をおが屑やもみ殻などの副資材と一緒に上記堆積槽１内にその搬入口４から投入すると、投入された有機廃棄物を二軸一組のスクリュー攪拌機８を左右に移動させながら前進させ、同時に、軸部８ａの先端８ｃと羽根部８ｂ間に形成された噴射口９から水分を含んだ消臭液又は消臭気を噴射させて攪拌する。
【００２１】
すると、有機廃棄物はスクリュー攪拌機８の隣接する羽根部８ｂ間で徐々に粘土状に破砕されるまで攪拌することとなるが、この時には、上記した切断用刃１０が繊維質なものを細かく破砕できるので、一層発酵が促進される。これにより、処理すべき有機廃棄物は、堆積槽１の底部から吐き出される空気により、満遍なく好気性状態にされ、微生物の活性化が進み、上質な堆肥が製造できる。又、この時には、二軸一組のスクリュー攪拌機８が進行方向に向かって２５度傾斜して攪拌を行なうことによって、最良の状態で有機廃棄物の天地返しを繰り返しながら攪拌ができるので、最良の状態で空気を供給しながら攪拌して、発酵処理化による分解が進み、堆肥化が大いに促進されることとなる。
【００２２】
従って、後は、このように、スクリュー攪拌機８が堆積槽１内を前後左右に移動すれば、堆肥化された有機廃棄物が堆積槽１の搬出口５側に移動して、該搬出口５から容易に取り出すことが可能となる。
【産業上の利用可能性】
【００２３】
本考案は、生ゴミ・食物残渣・畜糞などの有機廃棄物を簡単に堆肥化することができるので、これを廃棄物処理装置として広く利用すれば、頗る好都合なものとなる。
【符号の説明】
【００２４】
１    堆積槽
２    ブロワー
３    吹出口
４    搬入口
５    搬出口
６    基台
７    台車
８    スクリュー攪拌機
８ａ  軸部
８ｂ  羽根部
８ｃ  先端
９    噴射口
１０  切断用刃
１１  モーター
１２  伝達歯車
１３  伝達歯車
１４  伝達歯車
１５  伝達歯車
１６  油圧シリンダー
１７  ホース
Ｈ    家屋・畜舎
θ    軸部の傾斜角度
【図１】
0003166590.tif 000003
【図２】
0003166590.tif 000004
【図３】
0003166590.tif 000005
【図４】
0003166590.tif 000006
【図５】
0003166590.tif 000007
【図６】
0003166590.tif 000008